(57)【要約】【課題】画像形成装置において、形成された画像における異常の検出結果を有効に利用しつつ、異常が検出されたときの画像形成動作の作業効率の低下を抑えること。【解決手段】画像形成部によって、媒体上に形成された画像が読み取られる。読み取られた画像に異常が検出された場合、再印刷が実施される。読み取られた画像に第１の異常が検出された場合と、読み取られた画像に第１の異常とは異なる第２の異常が検出された場合とで、再印刷の方法は異なる。【選択図】図５
2020032729.tif 000002
【特許請求の範囲】
【請求項１】
媒体上に画像を形成する画像形成部と、
前記画像形成部によって前記媒体上に形成された画像を読み取る読取部と、
前記読取部によって読み取られた画像に異常が検出された場合、再印刷の動作を制御する制御部と、を備え、
前記制御部は、前記読取部によって読み取られた画像に第１の異常が検出された場合と、前記読取部によって読み取られた画像に前記第１の異常とは異なる第２の異常が検出された場合とで、前記再印刷の方法を異ならせる、画像形成装置。
【請求項２】
前記第１の異常は、画像ノイズである、請求項１に記載の画像形成装置。
【請求項３】
前記第２の異常は、所定のページ数以上連続して発生する異常である、請求項１または請求項２に記載の画像形成装置。
【請求項４】
前記所定のページ数は、ユーザーの入力による指定が可能である、請求項３に記載の画像形成装置。
【請求項５】
前記制御部は、所定のページ数以上連続して異常が発生した場合、印刷ジョブの先頭のページから再印刷する、請求項１〜請求項４のいずれか一項に記載の画像形成装置。
【請求項６】
前記再印刷の方法は、異常が検出されたページから再印刷する、実行中の印刷ジョブを最後まで印刷した後で異常が検出されたページを再印刷する、および、印刷ジョブの先頭のページから再印刷する、のいずれかである、請求項１〜請求項５のいずれか一項に記載の画像形成装置。
【請求項７】
コンピューターによって実行されるプログラムであって、前記コンピューターに、
画像形成部によって媒体上に形成された画像を読み取るステップと、
読み取られた前記画像に異常が検出された場合、前記画像形成部による再印刷の動作を制御するステップと、を実行させ、
前記再印刷の動作を制御するステップは、読み取られた前記画像に第１の異常が検出された場合と前記第１の異常とは異なる第２の異常が検出された場合とで、前記再印刷の方法を異ならせることを含む、プログラム。
【請求項８】
前記第１の異常は、画像ノイズである、請求項７に記載のプログラム。
【請求項９】
前記第２の異常は、所定のページ数以上連続して発生する異常である、請求項７または請求項８に記載のプログラム。
【請求項１０】
前記所定のページ数は、ユーザーの入力による指定が可能である、請求項９に記載のプログラム。
【請求項１１】
前記再印刷の動作を制御するステップは、所定のページ数以上連続して異常が発生した場合、印刷ジョブの先頭のページから再印刷することを含む、請求項７〜請求項１０のいずれか一項に記載のプログラム。
【請求項１２】
前記再印刷の方法は、異常が検出されたページから再印刷する、実行中の印刷ジョブを最後まで印刷した後で異常が検出されたページを再印刷する、および、印刷ジョブの先頭のページから再印刷する、のいずれかである、請求項７〜請求項１１のいずれか一項に記載のプログラム。
【発明の詳細な説明】
【技術分野】
【０００１】
本開示は、画像形成装置に関し、特に、記録媒体上に形成された画像における異常を検出する画像形成装置およびそのような画像形成装置を制御するためのプログラムに関する。
【背景技術】
【０００２】
近年、記録媒体上に画像を形成し、当該記録媒体上に形成された画像における異常を検出する画像形成装置が提案されている。
【０００３】
たとえば、特開２００５−３３１６６９号公報（特許文献１）は、上記のようなセンサーで異常が検出されると、画像の出力停止してメンテナンスを要求する指示を表示する、画像形成装置を開示している。
【０００４】
また、特開２０１０−４２５２１号公報（特許文献２）は、上記のようなセンサーが異常を検出すると、異常が検出されたページ以降のページを、それまでとは異なる排出先に排出した上で一時停止する、画像形成装置を開示している。当該画像形成装置は、再開時は異常が検出されたページから再印刷を実施する。
【先行技術文献】
【特許文献】
【０００５】
【特許文献１】特開２００５−３３１６６９号公報
【特許文献２】特開２０１０−４２５２１号公報
【発明の概要】
【発明が解決しようとする課題】
【０００６】
上記したように、従来の画像形成装置では、形成された画像に異常が発生した場合には、画像形成動作が中断される。これにより、画像形成動作が滞るため、画像形成動作における作業効率が低下するという問題がある。一方、形成された画像に異常が発生したにもかかわらず、なんらの対処もなされることなく画像形成動作が続行された場合には、異常の検出が無意味になる。
【０００７】
本開示は、かかる実情を鑑み考え出されたものであり、その目的は、画像形成装置において、形成された画像における異常の検出結果を有効に利用しつつ、異常が検出されたときの画像形成動作の作業効率の低下を抑えることである。
【課題を解決するための手段】
【０００８】
本開示のある局面に従うと、媒体上に画像を形成する画像形成部と、画像形成部によって媒体上に形成された画像を読み取る読取部と、読取部によって読み取られた画像に異常が検出された場合、再印刷の動作を制御する制御部と、を備え、制御部は、読取部によって読み取られた画像に第１の異常が検出された場合と、読取部によって読み取られた画像に第１の異常とは異なる第２の異常が検出された場合とで、再印刷の方法を異ならせる、画像形成装置が提供される。
【０００９】
好ましくは、第１の異常は、画像ノイズである。
好ましくは、第２の異常は、所定のページ数以上連続して発生する異常である。
【００１０】
好ましくは、所定のページ数は、ユーザーの入力による指定が可能である。
好ましくは、制御部は、所定のページ数以上連続して異常が発生した場合、印刷ジョブの先頭のページから再印刷する。
【００１１】
好ましくは、再印刷の方法は、異常が検出されたページから再印刷する、実行中の印刷ジョブを最後まで印刷した後で異常が検出されたページを再印刷する、および、印刷ジョブの先頭のページから再印刷する、のいずれかである。
【００１２】
本開示の他の局面に従うと、コンピューターによって実行されるプログラムであって、コンピューターに、画像形成部によって媒体上に形成された画像を読み取るステップと、読み取られた画像に異常が検出された場合、画像形成部による再印刷の動作を制御するステップと、を実行させ、再印刷の動作を制御するステップは、読み取られた画像に第１の異常が検出された場合と第１の異常とは異なる第２の異常が検出された場合とで、再印刷の方法を異ならせることを含む、プログラムが提供される。
【００１３】
好ましくは、第１の異常は、画像ノイズである。
好ましくは、第２の異常は、所定のページ数以上連続して発生する異常である。
【００１４】
好ましくは、所定のページ数は、ユーザーの入力による指定が可能である。
好ましくは、再印刷の動作を制御するステップは、所定のページ数以上連続して異常が発生した場合、印刷ジョブの先頭のページから再印刷することを含む。
【００１５】
好ましくは、再印刷の方法は、異常が検出されたページから再印刷する、実行中の印刷ジョブを最後まで印刷した後で異常が検出されたページを再印刷する、および、印刷ジョブの先頭のページから再印刷する、のいずれかである。
【発明の効果】
【００１６】
本開示によれば、画像形成部によって、媒体上に形成された画像が読み取られる。読み取られた画像に異常が検出された場合、再印刷が実施される。読み取られた画像に第１の異常が検出された場合と、読み取られた画像に第１の異常とは異なる第２の異常が検出された場合とで、再印刷の方法は異なる。
【００１７】
これにより、画像形成装置において、形成された画像における異常の検出結果が有効に利用されつつ、異常が検出されたときの画像形成動作の作業効率の低下が抑えられる。
【図面の簡単な説明】
【００１８】
【図１】画像形成装置の一実施の形態である画像形成システムの概略的な構成を説明する図である。
【図２】画像形成システムの機能的な構成の一例を示すブロック図である。
【図３】印刷ジョブを実行するときに中央制御部が実行する処理の一例のフローチャートである。
【図４】出力されたページに異常が発生していることを報知する画面の一例を示す図である。
【図５】リカバリーする方法を選択するための画面の一例を示す図である。
【図６】図３のリカバリー動作のサブルーチンのフローチャートである。
【図７】第２の実施の形態の画像形成システムにおいて実行される処理の一例のフローチャートである。
【図８】第３の実施の形態において中央制御部が設定の入力を受け付けるために表示部に表示する画面の一例を示す図である。
【発明を実施するための形態】
【００１９】
以下に、図面を参照しつつ、情報処理装置の実施の形態について説明する。以下の説明では、同一の部品および構成要素には同一の符号を付してある。それらの名称および機能も同じである。したがって、これらの説明は繰り返さない。
【００２０】
［第１の実施の形態］
＜１．画像形成装置の構成＞
図１は、画像形成装置の一実施の形態である画像形成システム４０の概略的な構成を説明するための図である。
【００２１】
図１に示されるように、画像形成システム４０は、給紙部１４と、給紙調整部８１、メインユニット１０、排紙調整部９０、画像確認部８０、および、排紙部１６を備える。図１中の矢印Ａ０１は、連続紙１８の給紙方向を示す。排紙部１６は、「巻取部」の一例である。排紙調整部９０および画像確認部８０は、「貯留部」の一例である。
【００２２】
給紙部１４は、連続紙１８を保持する為の機構である。第１の実施の形態の画像形成システム４０において、連続紙１８は、ロール紙である。給紙部１４は、連続紙１８の受け軸２０と、テンションおよびガイドのためのローラー２２および２４とを含む。受け軸２０の回転を含む給紙部１４の動作は、図示しない給紙部１４内のコンピューター（後述する、図２の給紙制御部４０Ａ）によって制御される。
【００２３】
給紙調整部８１は、給紙部１４とメインユニット１０とにおける連続紙１８の搬送速度の間の微小な差および連続紙１８における寄りを吸収する為のバッファとして機能する。給紙調整部８１は、ローラ８２，８３を含む。給紙調整部８１の動作は、図示しない給紙調整部８１内のコンピューター（後述する、図２の給紙調整制御部４０Ｂ）によって制御される。
【００２４】
メインユニット１０は、連続紙１８に画像を形成する画像形成部１５０と、画像形成システム４０に対する指示を入力するための操作パネル１６０と、画像形成部１５０に画像を読み取らせる原稿を搬送する原稿搬送装置１７０と、ＣＣＤ（Charge  Coupled  device）等によって原稿の画像を読取る原稿読取装置１８０とを含む。
【００２５】
操作パネル１６０は、液晶表示装置等からなる表示部１６１と、情報の入力を受け付ける入力部１６２とを含む。入力部１６２は、ハードウェアボタンおよび／または表示部１６１上に表示されるソフトウェアボタンを含む。第１の実施の形態では、操作パネル１６０は、画像形成部１５０に対して固定されているが、画像形成部１５０に対して着脱可能であってもよい。また、操作パネル１６０は、画像形成システム４０と通信可能なスマートフォン等の端末であってもよい。
【００２６】
画像形成部１５０には、メインユニット１０の動作を制御する中央制御部９００が設けられている。中央制御部９００は、ＣＰＵ（Central  Processing  Unit）等の演算装置（後述する、図２のプロセッサー９０１）を含む。中央制御部９００は、「制御部」の一例である。
【００２７】
画像形成部１５０は、電子写真プロセスによる画像形成を行ない、連続紙等の媒体に画像を転写させる。より具体的には、画像形成部１５０は、イエロー（Ｙ）、マゼンダ（Ｍ）、シアン（Ｃ）およびブラック（ＢＫ）のそれぞれの色についてのトナー画像を担持する像担持ユニット４６と、像担持ユニット４６が担持するトナー画像を一次的に転写される中間転写ベルト４７とを含む。中間転写ベルト４７に転写された画像は、連続紙１８に二次的に転写される。
【００２８】
画像形成部１５０は、転写された画像を連続紙１８に定着させる定着部５６と、連続紙１８上に形成された画像を読取る画像読取部８４とをさらに備える。画像読取部８４は、「読取部」の一例である。また、画像読取部８４の具体例は、ＣＣＤである。なお、画像形成システム４０における各種調整動作は、連続紙１８の定着部５６の通過を待たずに開始され得る。
【００２９】
排紙調整部９０は、画像形成部１５０から排出された連続紙１８を送る速度を調整することにより、画像形成システム４０におけるバッファーとして機能する。排紙調整部９０は、ローラー９１〜９８を備える。排紙調整部９０におけるローラー９１〜９８のうち少なくとも一部の動作は、図示しない排紙調整部９０内のコンピューター（後述する、図２の排紙調整制御部４０Ｃ）によって制御される。
【００３０】
画像確認部８０は、画像形成部１５０から排出された連続紙１８をユーザーに確認させるための部分である。連続紙１８が画像確認部８０の上方を通過するときに、ユーザーは、当該連続紙１８を見て、たとえば当該連続紙１８上の画像を確認する。
【００３１】
排紙部１６は、排紙調整部９０から画像確認部８０を介して送られてきた連続紙１８を巻き取る軸２６と、連続紙１８を軸２６に送るローラー２８，３０を含む。排紙部１６におけるローラー２８，３０および軸２６による回転動作は、図示しない排紙部１６内のコンピューター（後述する、図２の排紙制御部４０Ｄ）によって制御される。
【００３２】
以上、図１を参照して説明されたように、画像形成システム４０では、給紙部１４から供給される連続紙１８は、給紙調整部８１を介して画像形成部１５０へ送られる。画像形成部１５０は、連続紙１８に画像を形成して、排紙調整部９０へ出力する。排紙調整部９０は、画像確認部８０へ連続紙１８を送る。画像確認部８０へ送られた連続紙１８は、さらに排紙部１６に送られて、軸２６に巻き取られる。
【００３３】
＜２．機能ブロック＞
図２は、画像形成システム４０の機能的な構成の一例を示すブロック図である。
【００３４】
図２に示されるように、画像形成システム４０では、中央制御部９００は、プロセッサー９０１と、プロセッサー９０１によって実行されるプログラムを格納するプログラム記憶部９０２と、当該プログラムの実行に利用される各種のデータを格納するデータ記憶部９０３とを備える。なお、プロセッサー９０１によって実行されるプログラムは、中央制御部９００以外の記憶装置に格納されている場合もある。また、プロセッサー９０１によって実行されるプログラムは、メインユニット１０に対して着脱可能な記憶媒体に非一時的に格納されている場合もある。
【００３５】
中央制御部９００は、プロセッサー９０１が所与のプログラムを実行することにより、メインユニット１０内の画像形成部１５０、操作パネル１６０、原稿搬送装置１７０、および、画像読取装置１８０を制御する。特に、中央制御部９００は、画像読取部８４によって読み取られた画像を入力され、当該画像に基づいて、連続紙１８上に形成された画像に異常があるか否かを判断する。そして、中央制御部９００は、連続紙１８上に形成された画像に異常があると判断すると、適宜、リカバリー動作を実行する。リカバリー動作の内容については、後述する。
【００３６】
中央制御部９００は、さらに、給紙制御部４０Ａ、給紙調整制御部４０Ｂ、排紙調整制御部４０Ｃ、および、排紙制御部４０Ｄを制御する。なお、給紙制御部４０Ａは、給紙部１４を制御する。給紙調整制御部４０Ｂは、給紙調整部８１を制御する。排紙調整制御部４０Ｃは、排紙調整部９０を制御する。排紙制御部４０Ｄは、排紙部１６を制御する。つまり、中央制御部９００は、画像形成システム４０を統括的に制御する。
【００３７】
＜３．処理の流れ＞
第１の実施の形態の画像形成システム４０は、印刷ジョブを実行するとき、２つのリスト（「ユーザー確認待ち画像リスト」および「ＪＯＢ完了後再印刷ページリスト」）を利用する。
【００３８】
「ユーザー確認待ち画像リスト」は、印刷ジョブによって画像を形成された連続紙上のページのうち、異常があると判断されたページであって、ユーザーが当該ページの異常の確認が完了したことを未だ入力していないページのリストである。
【００３９】
「ＪＯＢ完了後再印刷ページリスト」は、異常があると判断されたページのうち、再度印刷することになっているページのリストである。
【００４０】
「ユーザー確認待ち画像リスト」および「ＪＯＢ完了後再印刷ページリスト」のいずれも、たとえばデータ記憶部９０３に格納される。
【００４１】
次に、印刷ジョブを実行するときに中央制御部９００が実行する処理の内容を説明する。図３は、当該処理の一例のフローチャートである。
【００４２】
図３を参照して、ステップＳ１００で、中央制御部９００は、画像形成システム４０に新規の印刷ジョブ（「新規ＪＯＢ」）が入力されたか否かを判断する。中央制御部９００は、たとえば、ネットワークを介した送信、画像読取装置１８０による原稿画像の読取、または、データ記憶部９０３内に格納されているファイルの印刷指示の入力によって、印刷ジョブを入力される。中央制御部９００は、新規の印刷ジョブが入力されたと判断するまでステップＳ１００に制御を留め、新規の印刷ジョブが入力されたと判断するとステップＳ１１０へ制御を進める。
【００４３】
ステップＳ１１０で、中央制御部９００は、入力された印刷ジョブの画像形成動作を開始する。印刷ジョブでは、画像形成の対象となっているページが、カウンターのカウント値「pageCount」で管理される。当該カウント値は、たとえばデータ記憶部９０３に格納される。ステップＳ１１０で、中央制御部９００は、pageCountの値を「１」に設定する。そして、制御はステップS１２０へ進められる。
【００４４】
ステップＳ１２０で、中央制御部９００は、pageCountの値が、印刷ジョブにおいて規定されている「総印刷ページ数」を超えたか否かを判断する。中央制御部９００は、pageCountの値が、まだ総印刷ページ数を超えていないと判断すると、ステップＳ１３０へ制御を進める。一方、中央制御部９００は、pageCountの値が、総印刷ページ数を超えていると判断すると、ステップＳ２００へ制御を進める。
【００４５】
ステップＳ１３０で、中央制御部９００は、画像形成部１５０で、pageCountの値を持つページの画像を連続紙１８上に形成する。そして、制御はステップＳ１４０へ進められる。
【００４６】
ステップＳ１４０で、中央制御部９００は、ステップＳ１３０で画像を形成したページの余白に、当該ページを特定する情報を書き込む。ページを特定する情報は、たとえばページ番号である。そして、制御はステップＳ１５０へ進められる。
【００４７】
ステップＳ１５０で、中央制御部９００は、画像確認部８０で、ステップＳ１３０で形成したページの画像を読み取る。そして、制御はステップＳ１６０へ進められる。
【００４８】
ステップＳ１６０で、中央制御部９００は、ステップＳ１５０で読み取られた画像に異常があるか否かを判断する。そして、中央制御部９００は、読み取られた画像に異常があると判断するとステップＳ２４０へ制御を進め、異常がないと判断するとステップＳ１７０へ制御を進める。
【００４９】
中央制御部９００は、たとえば、読み取られた画像と印刷ジョブ中の対応するページの画像とを比較し、読み取られた画像が予め設定されたレベル以上の画像ノイズを含むと判断した場合には、異常（画像不良）があると判断する。一方、中央制御部９００は、読み取られた画像が予め設定されたレベル以上の画像ノイズを含まないと判断した場合には、異常がないと判断する。
【００５０】
ステップＳ２４０で、中央制御部９００は、上述のユーザー確認待ち画像リストに、現在のpageCountの値を有するページを追加する。そして、制御はステップＳ２５０へ進められる。
【００５１】
ステップＳ２５０で、中央制御部９００は、既に、ユーザーが異常の確認中であるか否かを判断する。中央制御部９００は、ユーザーが異常の確認中であると判断すると、ステップＳ１７０へ制御を進める。一方、中央制御部９００は、ユーザーがまだ異常を確認していないと判断すると、ステップＳ２６０へ制御を進める。
【００５２】
中央制御部９００は、たとえば、表示部１６１に、出力されたページに異常が発生していることを報知する画面を出力し、ユーザーが当該画面を確認したことを示す入力を実行したかどうかを判断する。
【００５３】
図４は、出力されたページに異常が発生していることを報知する画面の一例を示す図である。図４の画面４００は、ボタン４０１を含む。ユーザーがボタン４０１を操作すると、中央制御部９００は、表示部１６１の表示を、発生している異常からリカバリーする方法を選択するための画面を表示する。
【００５４】
図５は、リカバリーする方法を選択するための画面の一例を示す図である。図５の画面５００は、当該画面５００のタイトル５０１と、リカバリー方法の選択を促すメッセージ５０２と、４つの選択肢のそれぞれに対応するボタン５０３〜５０６とを含む。ユーザーは、ボタン５０３〜５０６のいずれかにタッチすることにより、中央制御部９００は、タッチしたボタンに対応するリカバリー方法が選択されたと判断する。
【００５５】
ボタン５０３は、リカバリー方法として、異常が検出されたページを再度印刷することなく、そのまま印刷を継続することを指定する。
【００５６】
ボタン５０４は、リカバリー方法として、画像形成部１５０による画像形成動作を停止し、画像形成システム４０に対するリカバリーのための作業の後、異常が検出されたページから画像形成を再開することを指定する。
【００５７】
ボタン５０５は、リカバリー方法として、画像形成部１５０による画像形成動作を実行中の印刷ジョブの最後まで継続した後、異常が検出されたページから再度画像形成を行うことを指定する。
【００５８】
ボタン５０６は、リカバリー方法として、画像形成部１５０による画像形成動作をその時点で終了し、印刷ジョブの先頭のページから再度画像形成を行うことを指定する。
【００５９】
図３に戻って、ステップＳ２５０で、中央制御部９００は、たとえば、図４のボタン４０１が操作されていれば（異常の確認中）、ステップＳ１７０へ制御を進める。一方、中央制御部９００は、たとえば、図４のボタン４０１がまだ操作されていなければ、ステップＳ２６０へ制御を進める。中央制御部９００は、ユーザーによって操作されるまで、ボタン４０１を表示部１６１に表示してもよい。つまり、表示部１６１に表示される内容が切り替えられても、中央制御部９００は、ボタン４０１を表示部１６１に表示し続けてもよい。
【００６０】
ステップＳ２６０で、中央制御部９００は、連続紙１８における、pageCountの値をページ番号として持つ部分が画像確認部８０まで搬送されたタイミングで、排紙部１６の軸２６による連続紙１８の巻取を停止させる。ただし、中央制御部９００は、画像形成部１５０から排紙調整部９０への連続紙１８の出力は継続する。これにより、異常を検出されたページより後のページを印刷された連続紙１８の部分は、排紙調整部９０に貯留される。そして、制御はステップＳ２７０へ進められる。
【００６１】
ステップＳ２７０で、中央制御部９００は、ユーザーに異常の発生およびリカバリー方法の選択を促す。たとえば、中央制御部９００は、音声を出力する等により、図４のボタン４０１を操作することを促す。そして、制御はステップＳ１７０へ進められる。
【００６２】
つまり、たとえば、中央制御部９００は、ステップＳ１６０で異常の発生を検知すると、表示部１６１にボタン４０１（図４）を表示する。ユーザーがボタン４０１を操作すれば、中央制御部９００はステップＳ２５０からステップＳ１７０へ制御を進める。一方、ユーザーがボタン４０１を操作していなければ、中央制御部９００はステップＳ２５０からステップＳ２６０へ制御を進める。
【００６３】
ステップＳ１７０で、中央制御部９００は、pageCountの値を１加算して、ステップＳ１８０へ制御を進める。
【００６４】
ステップＳ１８０で、中央制御部９００は、ユーザーがリカバリーの方法を選択したか否かを判断する。ユーザーは、たとえば、図５のボタン５０３〜５０６のいずれかにタッチすることにより、タッチされたボタンに対応するリカバリー方法を選択する。そして、中央制御部９００は、ユーザーがリカバリーの方法を選択したと判断すると、ステップＳ１９０へ制御を進める。一方、中央制御部９００は、ユーザーがまだリカバリーの方法を選択していないと判断すると、ステップＳ１２０へ制御を戻す。
【００６５】
ステップＳ１９０で、中央制御部９００は、リカバリー動作を実行する。ここで、図６は、図３のステップＳ１９０のサブルーチンのフローチャートである。以下、図６を参照して、ステップＳ１９０のリカバリー動作を説明する。
【００６６】
図６に示されるように、ステップＳ９００で、中央制御部９００は、ユーザーが選択したリカバリー方法を特定し、特定された方法に従って制御を進める。
【００６７】
より具体的には、リカバリー方法が、「異常が検出されたページを再度印刷することなく、そのまま印刷を継続すること」（図５のボタン５０３に対応）であれば、中央制御部９００は、ステップＳ９４０へ制御を進める。
【００６８】
リカバリー方法が、「画像形成部１５０による画像形成動作を停止し、画像形成システム４０に対するリカバリーのための作業の後、異常が検出されたページから画像形成を再開すること」（図５のボタン５０４に対応）であれば、中央制御部９００は、ステップＳ９１０へ制御を進める。
【００６９】
リカバリー方法が、「画像形成部１５０による画像形成動作を実行中の印刷ジョブの最後まで継続した後、異常が検出されたページから再度画像形成を行うこと」（図５のボタン５０５に対応）であれば、中央制御部９００は、ステップＳ９２０へ制御を進める。
【００７０】
リカバリー方法が「画像形成部１５０による画像形成動作をその時点で終了し、印刷ジョブの先頭のページから再度画像形成を行うこと」（図５のボタン５０６に対応）であれば、中央制御部９００は、ステップＳ９３０へ制御を進める。
【００７１】
ステップＳ９１０〜ステップＳ９１４の制御は、リカバリー方法「画像形成部１５０による画像形成動作を停止し、画像形成システム４０に対するリカバリーのための作業の後、異常が検出されたページから画像形成を再開すること」に対応する制御である。
【００７２】
ステップＳ９１０で、中央制御部９００は、画像形成部１５０による画像形成動作を停止させて、ステップＳ９１２へ制御を進める。
【００７３】
ステップＳ９１２で、中央制御部９００は、作業者（ユーザー）によるリカバリー作業の完了を待つ。リカバリー作業の一例は、異常出力ページ部分を連続紙１８から切り取ることである。そして、制御はステップＳ９１４へ進められる。なお、中央制御部９００は、たとえば、ユーザーがリカバリー作業を完了したことを示す情報を入力されると、ステップＳ９１４へ制御を進める。
【００７４】
ステップＳ９１４で、中央制御部９００は、pageCountの値を、現在ユーザーが異常を確認しているページ（たとえば、ユーザー確認待ち画像リスト中の最も番号が若いページ）の番号へ変更する。また、中央制御部９００は、ユーザー確認待ち画像リストに登録されているページをクリアする。そして、画像形成部１５０に画像形成動作を再開させる。これにより、画像形成部１５０は、異常が発生したページから画像形成動作が再開される。そして、制御はステップＳ９４０へ進められる。
【００７５】
ステップＳ９２０〜Ｓ９２２は、リカバリー方法「画像形成部１５０による画像形成動作を実行中の印刷ジョブの最後まで継続した後、異常が検出されたページから再度画像形成を行うこと」に対応する制御である。
【００７６】
ステップＳ９２０で、中央制御部９００は、pageCountの値を「１」に戻し、ステップＳ９２２へ制御を進める。
【００７７】
ステップＳ９２２で、中央制御部９００は、ユーザー確認待ち画像リストおよびＪＯＢ完了後再印刷ページリストをクリアして、ステップＳ９４０へ制御を進める。
【００７８】
ステップＳ９３０は、リカバリー方法「画像形成部１５０による画像形成動作をその時点で終了し、印刷ジョブの先頭のページから再度画像形成を行うこと」に対応する制御である。
【００７９】
ステップＳ９３０で、ＪＯＢ完了後再印刷ページリストに、現在ユーザーが異常を確認しているページの番号へ追加し、ステップＳ９４０へ制御を進める。
【００８０】
ステップＳ９４０で、中央制御部９００は、ＪＯＢ完了後再印刷ページリストから、現在ユーザーが異常を確認しているページの番号を削除して、ステップＳ９５０へ制御を進める。
【００８１】
ステップＳ９５０で、中央制御部９００は、ユーザーによる確認（リカバリー方法の選択）を待っているページが存在するか否かを判断する。中央制御部９００は、たとえば、ユーザー確認待ち画像リストに未だ１つ以上のページが登録されていれば、ユーザーによる確認を待っているページが存在すると判断し、ユーザー確認待ち画像リストにページの登録が無ければ、ユーザーによる確認を待っているページが存在しないと判断する。そして、中央制御部９００は、ユーザーによる確認を待っているページが存在すると判断すると、ステップＳ９７０へ制御を進める。一方、中央制御部９００は、ユーザーによる確認を待っているページが存在しないと判断すると、ステップＳ９６０へ制御を進める。
【００８２】
ステップＳ９６０で、中央制御部９００は、排紙部１６の軸２６による連続紙１８の巻取を再開させて、ステップＳ１２０（図３）へ制御を戻す。
【００８３】
ステップＳ９７０で、中央制御部９００は、連続紙１８の、次の確認対象とされるべきページが形成された部分が画像確認部８０へ搬送されるまで排紙部１６の軸２６に連続紙１８を巻き取らせた後、軸２６による巻取を停止す。そして、中央制御部９００は、たとえば図５の画面５００を表示部１６１に表示させることにより、ユーザーにリカバリー方法の選択を促す。そして、中央制御部９００は、ステップＳ１２０（図３）へ制御を戻す。
【００８４】
図３に戻って、ステップＳ１２０で、中央制御部９００は、pageCountの値が印刷ジョブの総印刷ページ数を超えると、ステップＳ２００へ制御を進める。
【００８５】
ステップＳ２００で、中央制御部９００は、ＪＯＢ完了後再印刷ページリストに登録されているページがあるか否かを判断する。そして、中央制御部９００は、そのようなページがあると判断すると、ステップＳ２１０へ制御を進める。一方、中央制御部９００は、そのようなページがないと判断すると、ステップＳ２８０へ制御を進める。
【００８６】
ステップＳ２１０で、中央制御部９００は、画像形成部１５０でＪＯＢ完了後再印刷ページリストに登録されている最初のページの画像を連続紙１８上に形成して、ステップＳ２２０へ制御を進める。
【００８７】
ステップＳ２２０で、中央制御部９００は、ステップＳ２１０で画像を形成したページの余白に、当該ページを特定する情報（たとえば、ページ番号）を印刷して、ステップＳ２３０へ制御を進める。
【００８８】
ステップＳ２３０で、中央制御部９００は、ＪＯＢ完了後再印刷ページリストから、ステップＳ２１０で画像を形成したページを削除する。そして、制御はステップＳ２００へ戻される。
【００８９】
ステップＳ２００〜ステップＳ２３０の制御により、ジョブの印刷完了後に、ＪＯＢ完了後再印刷ページリストに挙げられた各ページの画像が、各ページを特定する情報とともに、印刷される。
【００９０】
ステップＳ２８０で、中央制御部９００は、画像形成部１５０による画像形成動作を停止させて、図３の処理を終了する。
【００９１】
以上説明された処理によれば、中央制御部９００は、形成された画像の異常を検出すると、当該異常に対するリカバリー動作（ステップＳ１９０）が実行されるまで、画像形成動作を継続させたまま、排紙部１６の軸２６による連続紙１８の巻取を停止する。これにより、排紙調整部９０が、異常が発生してからリカバリー動作が実行されるまでに印刷されたページをバッファリングする。
【００９２】
［第２の実施の形態］
第２の実施の形態の画像形成システム４０は、リカバリー方法を特定する情報を予めデータ記憶部９０３に格納している。そして、画像形成システム４０は、形成された画像の異常を検知すると、予め格納されている情報によって特定されるリカバリー方法に従って、リカバリー動作を実行する。
【００９３】
第２の実施の形態の画像形成システム４０では、第１の実施の形態について図３に示された処理が、図７に示された処理へと変更され得る。図７は、第２の実施の形態の画像形成システム４０において実行される処理の一例のフローチャートである。
【００９４】
図７に示されるように、ステップＳ１６０で、第２の実施の形態の中央制御部９００は、ステップＳ１５０で読み取られた画像に異常があるか否かを判断する。そして、中央制御部９００は、読み取られた画像に異常があると判断するとステップＳ１９０へ制御を進めて、リカバリー動作を実行する。一方、ステップＳ１６０で、中央制御部９００は、異常がないと判断するとステップＳ１７０へ制御を進める。
【００９５】
ステップＳ１９０で、中央制御部９００は、リカバリー動作を実行すると、ステップＳ１２０へ制御を戻す。
【００９６】
ステップＳ１７０で、中央制御部９００は、pageCountの値を１加算すると、ステップＳ１２０へ制御を戻す。
【００９７】
第２の実施の形態でも、ステップＳ１９０のリカバリー動作は、図６に示されたフローチャートによって実現され得る。なお、第２の実施の形態のステップＳ９００では、中央制御部９００は、予め格納された情報によって特定されるリカバリー方法に従って、ステップＳ９１０、ステップＳ９２０、ステップＳ９３０、または、ステップＳ９４０へ制御を進める。
【００９８】
第２の実施の形態において、「予め設定されているリカバリー方法」は、画像形成システム４０においてデフォルトで設定されているものであってもよい。つまり、「予め設定されているリカバリー方法」は、必ずしもユーザーによって選択されていなくてもよい。
【００９９】
［第３の実施の形態］
第３の実施の形態では、中央制御部９００は、形成された画像（画像読取部８４で読み取られた画像）が異常であるか否かを判断する基準の設定を受け付ける。図８は、中央制御部９００が当該設定の入力を受け付けるために表示部１６１に表示する画面の一例を示す図である。
【０１００】
図８の画面６００において、中央制御部９００は、「検出無し」を先頭とする８個の項目について、設定の指定を受け付ける。図８の画面６００は、各項目について２以上の選択肢を表示する場合、選択されている選択肢を反転表示している。
【０１０１】
より具体的には、項目「検出無し」は、「検出有り」と「検出無し」の２つの選択肢を含む。「検出有り」は、画像読取部８４で読み取られた画像の異常を検出することを指定する。「検出無し」は、画像読取部８４で読み取られた画像の異常を検出しないことを指定する。上記異常を検出することが指定されると、画像形成システム４０では、図３等に示された制御が実行される。上記異常を検出しないことが指定されると、画像形成システム４０では、連続紙１８上に形成された画像の異常の有無に関わらず、印刷ジョブが継続される。
【０１０２】
項目「画像ノイズ検出レベル」は、ノイズのレベルについて、「レベル高」「レベル中」および「レベル低」の３つの選択肢を含む。各選択肢は、それぞれソフトウェアボタンとして表示される。ユーザーは、タッチすることにより、選択肢を選択できる。データ記憶部９０３は、「レベル高」「レベル中」および「レベル低」のそれぞれに対応した３種類のノイズのレベルを特定する情報を格納する。中央制御部９００は、「レベル高」「レベル中」および「レベル低」のうち、指定されたレベルに対応する情報に基づいて、画像における異常の有無を検出する。指定されるレベルは、たとえば、異常であると判断されるノイズのレベルを特定する。つまり、指定されるレベルが高いほど、高いレベルのノイズが検出されるまで異常が発生したとは判断されない。
【０１０３】
項目「画像片寄り検出レベル」は、形成された画像の連続紙１８上での配置のズレについて、「レベル高」「レベル中」および「レベル低」の３つの選択肢を含む。各選択肢は、それぞれソフトウェアボタンとして表示される。ユーザーは、タッチすることにより、選択肢を選択できる。データ記憶部９０３は、配置のズレについて、「レベル高」「レベル中」および「レベル低」のそれぞれに対応した３種類のレベルを特定する情報を格納する。中央制御部９００は、「レベル高」「レベル中」および「レベル低」のうち、指定されたレベルに対応する情報に基づいて、画像における異常の有無を検出する。つまり、指定されるレベルが高いほど、形成された画像の連続紙１８上における位置のズレが大きくなるまで異常が発生したとは判断されない。
【０１０４】
項目「画像濃度異常検出レベル」は、画像ムラについて、「レベル高」「レベル中」および「レベル低」の３つの選択肢を含む。各選択肢は、それぞれソフトウェアボタンとして表示される。ユーザーは、タッチすることにより、選択肢を選択できる。データ記憶部９０３は、「画像濃度異常検出レベル」について、「レベル高」「レベル中」および「レベル低」のそれぞれに対応した３種類の画像ムラのレベルを特定する情報を格納する。中央制御部９００は、「レベル高」「レベル中」および「レベル低」のうち、指定されたレベルに対応する情報に基づいて、画像における異常の有無を検出する。つまり、指定されるレベルが高いほど、画像ムラが大きくなるまで異常が発生したとは判断されない。
【０１０５】
項目「連続異常出力枚数」は、異常の発生として検出されるために必要とされる連続したページ数を指定する。ユーザーは、たとえば、数値を入力することにより、当該項目についての設定を入力する。たとえば数値「３」が設定された場合、中央制御部９００は、連続紙１８上に形成された画像が３ページ連続して異常と判断されるまでは、画像形成についての異常が発生しているとは判断しない。つまり、たとえば連続して２ページの画像に異常が検出されても、その次のページの画像に異常が検出されなければ、中央制御部９００は、異常の発生を検出せず、画像形成および連続紙の巻取が続行される。
【０１０６】
項目「異常発生時の出力動作」は、「停止する」と「停止せずに継続」の２つの選択肢を含む。「停止する」は、連続紙１８上に形成された画像の異常が検出された場合に、画像形成システム４０における画像形成動作を停止して、ユーザーによるリカバリーのための作業を待つことを指定する。「停止せずに継続」は、上記異常が検出されても、画像形成システム４０における画像形成動作を停止させることなく継続することを指定する。
【０１０７】
項目「リカバリー方法」は、第２の実施の形態において説明されたように、予めデータ記憶部９０３に格納するリカバリー方法を指定する。当該項目は、３つの選択肢「異常画像ページ以降を再印刷」「異常画像ページのみをＪＯＢ完了後に再印刷」「ＪＯＢ先頭から再印刷を実施」を含む。ユーザーは、３つの選択肢のうち１つをタッチすることにより、当該選択肢を選択できる。
【０１０８】
項目「リカバリー回数」は、同一の印刷ジョブについてリカバリー動作を実行する回数を設定する。たとえば、「リカバリー回数」として「２回」が設定された場合、中央制御部９００は、印刷ジョブの実行中に異常が発生した場合、リカバリー動作として印刷ジョブ完了後に再印刷（１回目）を実行し、当該再印刷で異常が発生した場合さらにリカバリー動作として再印刷（２回目）を実行する。しかしながら、中央制御部９００は、２回目の再印刷で異常が発生しても、それ以上のリカバリー動作は実行せずに、画像形成動作を停止する。このような場合、中央制御部９００は、たとえば、表示部１６１に、リカバリー回数として指定された回数のリカバリー動作がすでに実行されたことを表示してもよい。
【０１０９】
第３の実施の形態では、中央制御部９００は、図８の画面６００において、連続紙１８上の画像の異常について、閾値（項目「画像ノイズ検出レベル」「画像片寄り検出レベル」「画像濃度異常検出レベル」「連続異常出力枚数」等）およびリカバリー方法についてのユーザーによる設定を受け付ける。なお、画像形成システム４０では、異なる閾値の設定のそれぞれに対して、異なるリカバリー方法が設定されてもよい。
【０１１０】
つまり、中央制御部９００は、項目「画像ノイズ検出レベル」について設定されたレベル（閾値）以上のサイズのノイズを検出したときには、リカバリー方法「異常画像ページ以降を再印刷」に従ったリカバリー動作を実行し、一方で、項目「連続異常出力枚数」について設定された値以上の連続したページ数の画像を異常であると判断した場合には、リカバリー方法「ＪＯＢ先頭から再印刷を実施」に従ったリカバリー動作を実行してもよい。
【０１１１】
今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【０１１２】
１０  メインユニット、１４  給紙部、１６  排紙部、１８  連続紙、２０，２６  軸、４０  画像形成システム、８０  画像確認部、８１  給紙調整部、９０  排紙調整部、１５０  画像形成部、１６０  操作パネル、１６１  表示部、１６２  入力部、１７０  原稿搬送装置、１８０  原稿読取装置。
【図１】
2020032729.tif 000003
【図２】
2020032729.tif 000004
【図３】
2020032729.tif 000005
【図４】
2020032729.tif 000006
【図５】
2020032729.tif 000007
【図６】
2020032729.tif 000008
【図７】
2020032729.tif 000009
【図８】
2020032729.tif 000010